(57)【特許請求の範囲】
【請求項１】
トレッド部に、タイヤ周方向に沿って延びる少なくとも一本の周方向溝と、これに隣接する少なくとも一列のリブ状の陸部とを具え、該リブ状陸部内に、該周方向溝に開口する枝溝と、該枝溝を介して該周方向溝と連通し該枝溝よりも断面積が大きい気室部とで構成されて該周方向溝に起因する騒音を減ずる共鳴器を配設してなる空気入りタイヤにおいて、
前記枝溝は、少なくとも１つの屈曲部を有し、かつ
前記枝溝が前記周方向溝に開口する開口端にて、前記枝溝の中心線とタイヤ周方向とのなす角度は、４５度以上９０度以下の範囲内にあることを特徴とする空気入りタイヤ。
【請求項２】
前記枝溝は、前記リブ状陸部のタイヤ幅方向端であって前記枝溝の前記開口端を有する側から他側に向かって前記枝溝の深さの少なくとも０．８倍の距離の領域内にて、その中心線とタイヤ周方向とのなす角度が、４５度以上９０度以下の範囲内にある、請求項１に記載の空気入りタイヤ。
【請求項３】
前記開口端における前記枝溝の中心線とタイヤ周方向とのなす角度は、６０度以上である、請求項１又は２に記載の空気入りタイヤ。
【発明の詳細な説明】
【技術分野】
【０００１】
この発明は、トレッド部に、タイヤ周方向に沿って延びる少なくとも一本の周方向溝と、これに隣接する少なくとも一列のリブ状の陸部とを具え、該リブ状陸部内に、該周方向溝に開口する枝溝と、該枝溝を介して該周方向溝と連通し該枝溝よりも断面積が大きい気室部とで構成され、かつ該周方向溝に起因する騒音を減ずる共鳴器を配設してなる空気入りタイヤに関するものであり、特に、かかる共鳴器の配設に起因するリブ状陸部の偏摩耗の低減及び操縦安定性の向上を図る。
【背景技術】
【０００２】
近年、車両の静粛化に伴って、空気入りタイヤの負荷転動に起因した自動車騒音に対する寄与が大きくなり、その低減が求められている。中でも、高周波数、特に、１０００Ｈｚ周辺のタイヤノイズが車外騒音の主たる原因となっており、環境問題の対応からも、その低減対策が求められている。
【０００３】
この１０００Ｈｚ周辺のタイヤノイズとは、主にタイヤ周方向に沿って延びる周方向溝と、トレッド部の接地域内の路面とによって形成される管内の空気の共鳴によって発生する、いわゆる気柱共鳴音のことであり、一般的な乗用車では８００〜１２００Ｈｚ程度に観測されることが多く、ピークの音圧レベルが高く、周波数帯域が広いことから、空気入りタイヤから発生する騒音の大部分を占めることとなる。また、人間の聴覚は、１０００Ｈｚ周辺の周波数帯域（Ａ特性）で特に敏感であることから、走行時のフィーリング面での静粛性を向上させる上でも、このような気柱共鳴音の低減は有効である。
【０００４】
かかる気柱共鳴音を低減するためには、周方向溝の配設本数や溝容積を減じることが有効ではあるが、このようにした場合、周方向溝の溝容積が不足する結果、排水性能が低下するおそれがある。周方向溝の配設本数や溝容積を減じることなく気柱共鳴音の低減を図るべく、特許文献１には、周方向溝によって形成されたリブ状陸部内に、一端が周方向溝に開口し、他端が陸部内で終端する長い横溝（気柱共鳴器）を設け、その横溝内での反共振を用いて気柱共鳴音を低減させることが可能な空気入りタイヤが開示されている。しかし、特許文献１に開示された空気入りタイヤでは、振幅の大きさに対応した長い横溝の配設が必須であることから、トレッドパターンのデザイン上の自由度が損なわれる。
【０００５】
これら問題の解決策として、特許文献２に開示されているように、周方向溝に開口するサイプ（枝溝）と、その枝溝につながる共鳴室（気室部）とから構成された、いわゆるヘルムホルツ型の共鳴器によって、気柱共鳴音の共鳴周波数付近のエネルギを吸収する技術が提案されている。これにより、周方向溝の溝容積を充分に確保して、排水性能等を確保しつつも、特許文献１に記載の空気入りタイヤと比較してトレッドパターンのデザイン上の自由度を向上させることが可能となる。
【０００６】
【特許文献１】国際公開第０４／１０３７３７号パンフレット
【特許文献２】特開平５−３３８４１１号公報
【発明の開示】
【発明が解決しようとする課題】
【０００７】
しかし、特許文献２に記載の空気入りタイヤでは、枝溝は、気室部から直線状に延びているため、気室部の寸法を大きくしたり、枝溝の長さを長くしたりするのが難しく、この結果、低減することのできる気柱共鳴音の周波数帯域も限定されてしまうという問題があった。また、図７に示すように、十分な枝溝１０７の長さを確保するため、枝溝１０７をタイヤ周方向１０３に対して傾斜させて延ばすと、枝溝１０７と周方向溝１０３とに挟まれた部分に先鋭部１１０が形成され、かかる部分の剛性が低下する。その結果、路面接地時には当該部分が倒れ込んで路面との接触から逃げてしまうので、この挟まれた部分のみ局部的に摩耗が遅くなり偏摩耗の問題が生じる上、剛性低下により操縦安定性も低下するという懸念もある。
【０００８】
したがって、この発明は、これらの問題点を解決することを課題とするものであり、その目的は、共鳴器の形状の適正化を図ることにより、共鳴器により気柱共鳴音を低減可能とすることを前提に耐偏摩耗性及び操縦安定性を向上可能な空気入りタイヤを提供することにある。
【課題を解決するための手段】
【０００９】
前記の目的を達成するため、第１の発明は、トレッド部に、タイヤ周方向に沿って延びる少なくとも一本の周方向溝と、これに隣接する少なくとも一列のリブ状の陸部とを具え、該リブ状陸部内に、該周方向溝に開口する枝溝と、該枝溝を介して該周方向溝と連通し該枝溝よりも断面積が大きい気室部とで構成されて該周方向溝に起因する騒音を減ずる共鳴器を配設してなる空気入りタイヤにおいて、前記枝溝は、少なくとも１つの屈曲部を有し、かつ前記枝溝が前記周方向溝に開口する開口端にて、前記枝溝の中心線とタイヤ周方向とのなす角度は、４５度以上９０度以下の範囲内にあることを特徴とする空気入りタイヤである。ここで、「周方向溝」とは、タイヤ周方向に沿って直線状に延びる溝のみならず、ジグザグ状又は波状に延び、タイヤ全体として周方向に一周する溝をいうものとする。また、「枝溝の中心線とタイヤ周方向とのなす角度」とは、枝溝の中心線とタイヤ周方向とが交差してできる交差角のうち、鋭角側から測定したときの角度を意味する。かかる構成を採用することにより、従来のように枝溝を直線状に延ばす場合に比べ、枝溝の長さを長くすることが可能となるので、タイヤノイズの周波数に対応可能な共鳴周波数の周波数帯域を拡大することができるとともに、トレッドパターンのデザイン上の自由度を向上させることができる。さらに、枝溝が周方向溝に開口する開口端にて、枝溝の中心線とタイヤ周方向とのなす角度を、４５度以上９０度以下の範囲内とすることで、枝溝と周方向溝とに挟まれた部分に先鋭部が形成されず、かかる部分の剛性を増大させることができる。従って、かかる部分は路面接地時においても倒れ込むことなく路面と確実に接触し、接地圧は均一に保たれることから操縦安定性と耐偏摩耗性は向上する。
【００１０】
他の発明は、トレッド部に、タイヤ周方向に沿って延びる少なくとも一本の周方向溝と、これに隣接する少なくとも一列のリブ状の陸部とを具え、該リブ状陸部内に、該周方向溝に開口する枝溝と、該枝溝を介して該周方向溝と連通し該枝溝よりも断面積が大きい気室部とで構成されて該周方向溝に起因する騒音を減ずる共鳴器を配設してなる空気入りタイヤにおいて、前記枝溝は、少なくとも１つの湾曲部を有し、かつ前記枝溝が前記周方向溝に開口する開口端にて、前記枝溝の中心線とタイヤ周方向とのなす角度は、４５度以上９０度以下の範囲内にあることを特徴とする空気入りタイヤである。ここで、枝溝の中心線が曲線の場合には、「枝溝の中心線とタイヤ周方向のなす角度」は、枝溝の中心線の接線とタイヤ周方向とのなす角度をいうものとする。かかる構成を採用することにより、従来のように枝溝を直線状に延ばす場合に比べ、枝溝の長さを長くすることが可能となるので、タイヤノイズの周波数に対応可能な共鳴周波数の周波数帯域を拡大することができるとともに、トレッドパターンのデザイン上の自由度を向上させることができる。さらに、枝溝が周方向溝に開口する開口端にて、枝溝の中心線とタイヤ周方向とのなす角度を、４５度以上９０度以下の範囲内とすることで、枝溝と周方向溝とに挟まれた部分に先鋭部が形成されず、かかる部分の剛性を増大させることができる。従って、かかる部分は路面接地時においても倒れ込むことなく路面と確実に接触し、接地圧は均一に保たれることから操縦安定性と耐偏摩耗性は向上する。
【００１１】
また、枝溝は、リブ状陸部のタイヤ幅方向端であって枝溝の開口端を有する側から他側に向かって枝溝の深さの少なくとも０．８倍の距離の領域内にて、その中心線とタイヤ周方向とのなす角度が、４５度以上９０度以下の範囲内にあることが好ましい。
【００１２】
さらに、開口端における枝溝の中心線とタイヤ周方向とのなす角度は、６０度以上であることが好ましい。
【００１３】
これら発明によれば、共鳴器により気柱共鳴音を低減可能とすることを前提に耐偏摩耗性及び操縦安定性を向上可能な空気入りタイヤを提供することが可能となる。
【発明を実施するための最良の形態】
【００１４】
以下、この発明の実施の形態を図面に基づき説明する。ここに図1は、この発明に従う空気入りタイヤ（以下「タイヤ」という）のトレッド部の要部を拡大して示す拡大平面図である。
【００１５】
図１に示すタイヤは、トレッド部１に、タイヤ周方向に沿って延びる周方向溝３と、これに隣接するリブ状陸部５とを具える。さらにこのタイヤは、リブ状陸部５内に、周方向溝３に開口する枝溝７と、この枝溝７を介して周方向溝３と連通する気室部９とで構成され、周方向溝３と路面とで形成される管内の共鳴により発生する騒音を減ずる共鳴器１１を有する。気室部９は、その中心線Ｃ１と直交する面内の断面積が、枝溝７の、中心線Ｃ２と直交する面内の断面積よりも大きくなるよう形成されている。
【００１６】
共鳴器１１は、気室部９及び枝溝７がともに路面によって密閉された状態の下では、図２（ａ）に模式的に示すようなヘルムホルツ型の共鳴器を形成することになり、その共鳴周波数ｆは、枝溝７の長さをｌｈ、枝溝７の半径をｒ、枝溝７の断面積をＳとするとともに気室部９の容積をＶ、音速をｃとしたとき、
【数１】
0005193549.tif 000002
として表すことができるので、この共鳴周波数ｆは、周方向溝３の気柱共鳴周波数との関連の下で、枝溝７の長さにｌｈ、枝溝７の断面積をＳ（半径ｒ）及び気室部９の容積Ｖの大きさを選択的に変えることによって、所要に応じて変化させることができる。
【００１７】
なお、枝溝７の断面形状が円形ではない場合は、上記の式中の半径rは、該枝溝７の断面積を基にして逆算することによって求められる。また、式中の係数「１．３」は文献によっては異なる値が存在するが、一般的には実験式から求めることが可能で、この発明においても一つの係数として用いるものとする。
【００１８】
また、気室部９は、その深さ方向の全体に亘って、開口面積と同一の横断面積を有するものを適用することができるが、深さ方向に向けて当該横断面積が漸増もしくは漸減するものを適用してもよい。また、気室部９の底壁は実質的に平坦面としてもよく、あるいは開口側に向けて凸もしくは凹状の曲面とすることもできる。
【００１９】
さらに、図示例のタイヤでは、気室部９の、リブ状陸部５表面への開口形状は矩形であるが、この開口形状はこれに限定されず多角形と、円形と、楕円形と、その他の閉鎖曲線形状と、不規則な閉鎖形状等を適用することができる。
【００２０】
そして、この発明の構成上の主な特徴は、図１に示すように、枝溝７は、気室部９と、周方向溝３に開口する開口端１３との間に屈曲部１５を有し、さらにかかる開口端１３にて、枝溝７の中心線Ｃ２とタイヤ周方向とのなす角度θが、４５度以上９０度以下の範囲内にあることである。かかる屈曲部１５は、枝溝７に少なくとも１つあればよく、共鳴周波数をタイヤノイズの周波数に対応させるべく適宜増減することができる。また、屈曲部１５の角度も特に指定はなく、デザイン上の都合等により適宜設定することができる。
【００２１】
図１に示す実施形態のタイヤによれば、枝溝７は、従来のように気室部から直線状に延びて周方向溝に開口するのでなく、気室部９から屈曲部１５を経て周方向溝３に開口することから、従来に比べ、枝溝７の長さを長くすることが可能となる。この結果、タイヤノイズの周波数に対応可能な共鳴周波数の周波数帯域を拡大することができるとともに、トレッドパターンのデザイン上の自由度を向上させることができる。さらに、枝溝７が周方向溝３に開口する開口端１３にて、枝溝７の中心線Ｃ２とタイヤ周方向とのなす角度θを、４５度以上９０度以下の範囲内とすることで、枝溝７と周方向溝３とに挟まれた部分に先鋭部が形成されず、かかる部分の剛性を増大させることができる。従って、かかる部分は路面接地時においても倒れ込むことなく路面と確実に接触し、接地圧は均一に保たれることから操縦安定性と耐偏摩耗性は向上する。
【００２２】
次いで、他の形態について説明する。ここで、図３は、他のタイヤのトレッド部の要部を拡大して示す拡大平面図である。なお、図１に示した実施形態のタイヤと同様の部材には同一の符号を付して説明する。
【００２３】
図３に示すタイヤは、トレッド部１に、タイヤ周方向に沿って延びる周方向溝３と、これに隣接するリブ状陸部５とを具える。さらにこのタイヤは、リブ状陸部５内に、周方向溝３に開口する枝溝１７と、この枝溝１７を介して周方向溝３と連通する気室部９とで構成され、周方向溝３と路面とで形成される管内の共鳴により発生する騒音を減ずる共鳴器１９を有する。気室部９は、その中心線Ｃ１と直交する面内の断面積が、枝溝１７の、中心線Ｃ２と直交する面内の断面積よりも大きくなるよう形成されている。
【００２４】
図示例の共鳴器１９は、先の実施形態のタイヤのものと同様にヘルムホルツ型の共鳴器であり、その説明を省略する。
【００２５】
そして、この発明の構成上の主な特徴は、図３に示すように、枝溝１７は、気室部９と、周方向溝３に開口する開口端との間に湾曲部２１を有し、さらにかかる開口端１３にて、枝溝１７の中心線Ｃ２とタイヤ周方向とのなす角度θが、４５度以上９０度以下の範囲内にあることである。かかる湾曲部２１は、枝溝１７に少なくとも１つあればよく、共鳴周波数をタイヤノイズの周波数に対応させるべく適宜増減することができる。また、湾曲部２１の曲率半径も特に指定はなく、デザイン上の都合等により適宜設定することができる。
【００２６】
図３に示す実施形態のタイヤによれば、枝溝１７は、従来のように気室部から直線状に延びて周方向溝に開口するのでなく、気室部９から湾曲部２１を経て周方向溝３に開口することから、従来に比べ、枝溝１７の長さを長くすることが可能となる。この結果、タイヤノイズの周波数に対応可能な共鳴周波数の周波数帯域を拡大することができるとともに、トレッドパターンのデザイン上の自由度を向上させることができる。さらに、枝溝１７が周方向溝３に開口する開口端１３にて、枝溝１７の中心線Ｃ２とタイヤ周方向とのなす角度を、４５度以上９０度以下の範囲内とすることで、枝溝１７と周方向溝３とに挟まれた部分に先鋭部が形成されず、かかる部分の剛性を増大させることができる。従って、かかる部分は路面接地時においても倒れ込むことなく路面と確実に接触し、接地圧は均一に保たれることから操縦安定性と耐偏摩耗性は向上する。
【００２７】
なお、図１及び図３に示すように、枝溝７、１７は、リブ状陸部５のタイヤ幅方向端であって枝溝７、１７の開口端１３を有する側２３から他側に向かって枝溝７、１７の深さの少なくとも０．８倍の距離の領域内にて、その中心線Ｃ２とタイヤ周方向とのなす角度が、４５度以上９０度以下の範囲内にあることが好ましい。一般に、トレッドゴムで形成された図４（ａ）に示すようなゴムブロックの剛性は、その幅をＷ、高さをＨとした場合に、Ｗ／Ｈが増大するに伴い、図４（ｂ）に示すように増大し、Ｗ／Ｈが０．８あたりに達した時点でその増大が緩やかになり、Ｗ／Ｈが１．０あたりで概ね飽和に達する。従って、このように、リブ状陸部５のタイヤ幅方向端であって枝溝７、１７の開口端１３を有する側２３から他側に向かって枝溝７の深さの少なくとも０．８倍の距離の領域内にて、その中心線Ｃ２とタイヤ周方向とのなす角度θを、４５度以上９０度以下の範囲内にすることにより、枝溝７、１７と周方向溝３とに挟まれた部分の剛性をより効果的に確保することができる。
【００２８】
また、開口端１３における枝溝７、１７の中心線Ｃ２とタイヤ周方向とのなす角度θは、６０度以上であることが好ましい。これによれば、枝溝７、１７と周方向溝３とに挟まれた部分の剛性をより大きくすることができ、操縦安定性と耐偏摩耗性を一層向上させることができる。
【００２９】
さらに、枝溝７、１７の中心線Ｃ２とタイヤ周方向とのなす角度θを、４５度以上９０度以下の範囲内とする領域Ｚｉｎは、リブ状陸部５のタイヤ幅方向端であって枝溝７、１７の開口端１３を有する側２３から他側に向かって枝溝７、１７の深さの２倍の距離以下とすること好ましい。かかる領域Ｚｉｎを枝溝７、１７の深さの２倍よりも大きくしても、先に図４で説明したように枝溝７、１７と周方向溝３とに挟まれた部分の剛性増大への効果は少なく、またタイヤ性能を確保しつつ枝溝７、１７の長さを確保するのが困難になるおそれがあるからである。
【００３０】
さらに、図１及び３に示すように、枝溝７、１７の開口端１３を含む、枝溝７、１７の中心線Ｃ２とタイヤ周方向とのなす角度を４５度以上９０度以下の範囲内とする領域Ｚｉｎ外の領域ＺＯＵＴ内における枝溝７、１７の中心線Ｃ２とタイヤ周方向とのなす角度θｏｕｔは、領域Ｚｉｎ内における枝溝７の中心線Ｃ２とタイヤ周方向とのなす角度θよりも小さくすることが好ましい。このようにすれば、設計上必要となる枝溝７、１７の長さを容易に確保することができるとともに、路面接地時に枝溝７、１７の溝縁が路面に同時に当接することがなく、操縦安定性と耐偏摩耗性を確保しつつ、枝溝７、１７の溝縁が路面を叩くことにより生じるピッチノイズを低減することができる。
【００３１】
なお、上述したところは、この発明の実施形態の一部を示したに過ぎず、この発明の趣旨を逸脱しない限り、これらの構成を相互に組み合わせたり、種々の変更を加えたりすることができる。例えば、共鳴器１１、１９は、枝溝７、１７と、該枝溝７、１７を介して該周方向溝３と連通し該枝溝７、１７よりも断面積が大きい気室部９とで構成すればよく、上述したヘルムホルツ型の共鳴器１１、１９に代えて、図２（ｂ）に示すように気室部９及び枝溝７、１７をそれぞれ第一管路９’、第二管路７’、１７’とみなしてそれらを相互に連結した連結管路からなる段付き管型の共鳴器を適用することもでき、この場合には、以下の説明のようにして共鳴周波数ｆを求めることができる。
【００３２】
段付き管型の共鳴器につき、境界における第一管路９’側の音響インピーダンスをＺ１２、境界における第二管路７’、１７’側の音響インピーダンスをＺ２１、第一管路９’の断面積をＳ１、第二管路７’、１７’の断面積をＳ２とすると、連続の条件から、
Ｚ２１＝（Ｓ２／Ｓ１）・Ｚ１２
との関係が成り立つ。
【００３３】
第二管路７’、１７’について、境界条件を、ｘ＝０でＶ２＝Ｖ０ｅｊｗｔ、ｘ＝ｌ２でＰ２／Ｖ２＝Ｚ２１とすると、第二管路７’、１７’の開口からの距離ｘの位置のおける音圧Ｐ２は、
Ｐ２＝Ｚｃ・｛（Ｚ２１ｃｏｓ（ｋ（ｌ２−ｘ））＋ｊＺｃｓｉｎ（ｋ（ｌ２−ｘ）））／（Ｚｃｃｏｓ（ｋｌ２）＋ｊＺ２１ｓｉｎ（ｋｌ２ ））｝・Ｖ０ｅｊｗｔ
と表される。ここに、ｌ２は、第二管路７’、１７’の長さ、Ｖ２は、第二管路７’、１７’の粒子速度分布、Ｖ０は、入力点の粒子速度、ｊは、虚数単位、Ｚｃは、ρｃ（ρは、空気の密度、ｃは、音速）、ｋは、２πｆ／ｃである。
【００３４】
また、第一管路９’について、境界条件を、ｘ＝ｌ１でＶ１＝０、ｘ＝０でＰ２＝Ｐ１とすると、第一管路９’の開口からの距離ｘの位置のおける音圧Ｐ１は、
Ｐ１＝Ｚｃ・〔Ｚ２１ｃｏｓ（ｋ（ｌ１−ｘ））／（ｃｏｓ（ｋｌ１）・｛Ｚｃｃｏｓ（ｋｌ２）＋ｊＺ２１ｓｉｎ（ｋｌ２）｝）〕・ｅｊｗｔ
と表される。ここに、ｌ１は、第一管路９’の長さである。
【００３５】
ここで、共鳴の条件  ｘ＝０でＰ２＝０より、
ｔａｎ（ｋl１）ｔａｎ（ｋｌ２）−（Ｓ２／Ｓ１）＝０  となり、この共鳴の条件式に基づいて、ｋ、ｌ１、ｌ２、Ｓ２、Ｓ１、ｃを決定して共鳴周波数ｆを求めることができる。
【００３６】
段付き管型の共鳴器は、図示の例では、直方体になる管路を組み合わせたものを示したが、上記の条件式で共鳴周波数を求めるには各管路の断面積及び長さを決定すればよいので、管路の形状は直方体に限定されることはなく種々の形状のものを適用し得る。
【００３７】
また、第二管路７’、１７’の一端は周方向溝３の溝壁で開口していることが不可欠となるが、第一管路９’、第二管路７’、１７’は、トレッド踏面の接地面内で路面との接触により閉鎖空間を形成することになるので、その上端をリブの表面で開口させておくことが可能であり、この点についても限定されることはない。
【実施例】
【００３８】
次に、この発明に従うタイヤを試作し性能評価を行ったので、以下に説明する。
【００３９】
性能評価では、共鳴器の形状の違いが操縦安定性及び耐偏摩耗性に与える影響を調べた。実施例１〜６のタイヤは何れも、第１発明に従うタイヤであり、タイヤサイズが２２５／５５Ｒ１７の乗用車用ラジアルタイヤであり、図５に示すように、トレッド部に、タイヤ周方向に延びる４本の周方向溝と、これらに隣接するリブ状陸部とを具える。周方向溝は幅が１０ｍｍ、深さが８ｍｍである。また、これらのタイヤは、各リブ状陸部内に図１に示す形状の共鳴器を周上にわたって６０個有し、それぞれの共鳴器の寸法は何れも、気室部の長手方向の長さが１８ｍｍ、気室部の幅が６ｍｍ、気室部の深さが７ｍｍ、枝溝の長さが６ｍｍ、枝溝の幅が１ｍｍ、枝溝の深さが２ｍｍであり、共鳴器の共鳴周波数は１０６１Ｈｚである。枝溝は、１つの屈曲部を有する。枝溝が周方向溝に開口する開口端にて、枝溝の中心線とタイヤ周方向とのなす角度及び、かかる角度で傾斜して延びる枝溝部分の、開口端からの距離を表１に示す。
【００４０】
参考例７〜１２のタイヤは何れも、タイヤサイズが２２５／５５Ｒ１７の乗用車用ラジアルタイヤであり、図６に示すように、トレッド部に、タイヤ周方向に延びる４本の周方向溝と、これらに隣接するリブ状陸部とを具える。周方向溝は幅が１０ｍｍ、深さが８ｍｍである。また、これらのタイヤは、各リブ状陸部内に図３に示す形状の共鳴器を周上にわたって６０個ずつ有し、それぞれの共鳴器の寸法は何れも、気室部の長手方向の長さが１８ｍｍ、気室部の幅が６ｍｍ、気室部の深さが７ｍｍ、枝溝の長さが６ｍｍ、枝溝の幅が１ｍｍ、枝溝の深さが２ｍｍであり、共鳴器の共鳴周波数は１０６１Ｈｚである。枝溝は、１つの湾曲部を有する。枝溝が周方向溝に開口する開口端にて、枝溝の中心線とタイヤ周方向とのなす角度範囲及び、かかる角度範囲で傾斜して延びる枝溝部分の、開口端からの距離を表１に示す。
【００４１】
比較のため、共鳴器の形状を除いて実施例１〜６参考例７〜１２のタイヤと同一の構成を有する比較例１のタイヤについても併せて試作した。共鳴器は、図７に示す形状を有し、それぞれの共鳴器の寸法は何れも、気室部の長手方向の長さが１８ｍｍ、気室部の幅が６ｍｍ、気室部の深さが７ｍｍ、枝溝の長さが６ｍｍ、枝溝の幅が１ｍｍ、枝溝の深さが２ｍｍであり、共鳴器の共鳴周波数は１０６１Ｈｚである。
【００４２】
【表１】
0005193549.tif 000003
【００４３】
前記各供試タイヤを、サイズ７．５Ｊ×１７のリムに装着し、空気圧２２０ｋＰａ（相対圧）を適用したのち実験及び各供試タイヤ毎に乗用車に組み付け二名乗車相当の負荷荷重条件にて以下の実験及び評価を行った。
【００４４】
（操縦安定性）
長い直線部分を含む周回路及び緩やかなカーブの多いハンドリング評価路等を有するテストコース内を、低速から１００ｋｍ／ｈ程度までの、公道上で一般的なドライバーが経験する速度域で実車走行し、ドライ路面における操縦安定性についてプロのドライバーが１０点満点のフィーリング評価を行った。その評価結果を表２に示す。この数値が大きいほど操縦安定性が優れていることを意味する。
【００４５】
（耐偏摩耗性）
一般道路、高速道路及び山道を含むコースを１０，０００ｋｍ走行した後、共鳴器を配置した各リブ状陸部において最も摩耗の多い部分と、最も摩耗の少ない部分との段差量を測定する。この段差量の平均値を算出し、その数値が小さいほど耐偏摩耗性が良好であると判断する。その評価結果を表２に示す。
【００４６】
【表２】
0005193549.tif 000004
【００４７】
表２に示す結果から明らかなように、共鳴器の枝溝に屈曲部又は湾曲部を設け、枝溝が周方向溝に開口する開口端にて、枝溝の中心線とタイヤ周方向とのなす角度を４５度以上９０度以下の範囲内とすることにより、操縦安定性及び耐偏摩耗性を向上させることが可能であることが確認された。また、枝溝の中心線とタイヤ周方向とのなす角度が大きいほど、又はかかる角度で傾斜して延びる枝溝部分の、開口端からの距離が大きいほど操縦安定性及び耐偏摩耗性は一層向上することが確認される。
【産業上の利用可能性】
【００４８】
以上の説明から明らかなように、この発明によって、共鳴器により気柱共鳴音を低減可能とすることを前提に耐偏摩耗性及び操縦安定性を向上可能な空気入りタイヤを提供することが可能となった。
【図面の簡単な説明】
【００４９】
【図１】この発明に従う空気入りタイヤのトレッド部の要部を拡大して示す拡大平面図である。
【図２】この発明に適用可能な共鳴器を模式的に示した図であり、（ａ）は、ヘルムホルツ型の共鳴器、（ｂ）は、段付き管型の共鳴器である。
【図３】他の空気入りタイヤのトレッド部の要部を拡大して示す拡大平面図である。
【図４】（ａ）は、トレッドゴムで形成されたゴムブロックの模式図であり、（ｂ）は、ゴムブロックの幅及び深さと、剛性との関係を示すグラフである。
【図５】第１発明に従う実施例のタイヤのトレッドパターンを示す図である。
【図６】参考例のタイヤのトレッドパターンを示す図である。
【図７】比較例１のタイヤのトレッド部の要部を拡大して示す拡大平面図である。
【符号の説明】
【００５０】
３  周方向溝
５  リブ状陸部
７、１７  枝溝
９  気室部
１１、１９  共鳴器
１３  開口端
１５  屈曲部
２１  湾曲部
【図１】
0005193549.tif 000005
【図２】
0005193549.tif 000006
【図３】
0005193549.tif 000007
【図４】
0005193549.tif 000008
【図５】
0005193549.tif 000009
【図６】
0005193549.tif 000010
【図７】
0005193549.tif 000011